(57)【特許請求の範囲】
【請求項１】
前面開口部を有する筐体と、前記筐体に備えられ閉時に前記前面開口部を閉塞する扉と、前記筐体に備えられた冷凍サイクルの圧縮機と、前記圧縮機を前記筐体に支持する防振装置とを有したものであって、前記扉が閉時に、前記扉が前記筐体へ衝突する衝突方向に対して、前記防振装置は、前記衝突方向に対する略直角方向の変位量よりも前記衝突方向に対する略平行方向の変位量が大きいものであるとともに、前記圧縮機を前記筐体の天面に配置することに加え、前記圧縮機の前方側には断熱層が形成されるように冷蔵庫本体の背面上部に配置している冷蔵庫。
【請求項２】
前面開口部を有する筐体と、前記筐体に備えられ閉時に前記前面開口部を閉塞する扉と、冷凍サイクルの圧縮機と、前記圧縮機を前記筐体に支持する防振装置とからなり、前記防振装置は、前記箱筐体からの振動のうち、略垂直成分の振動よりも略水平方向成分の振動をより多く吸収する第一緩衝手段と、略水平方向成分の振動よりも略垂直成分の振動をより多く吸収する第二緩衝手段とを備えたものであるとともに、前記圧縮機を前記筐体の天面に配置することに加え、前記圧縮機の前方側には断熱層が形成されるように冷蔵庫本体の背面上部に配置している冷蔵庫。
【請求項３】
防振装置は、圧縮機の外部に取付けられた弾性部材からなる第二緩衝手段と、前記第二緩衝手段と前記筐体との間に形成され前記第二緩衝手段も含めた前記圧縮機の水平方向への移動を可能にした第一緩衝手段とからなる請求項２に記載の冷蔵庫。
【請求項４】
防振装置は、圧縮機と冷蔵庫本体に対して、二重の弾性部材である外部弾性部材と外部支持部材とを備え、前記防振装置の圧縮機側に外部弾性部材が備えられており、前記圧縮機と前記外部弾性部材とを含めて外部支持部材によって弾性支持されている請求項１から３のいずれか一項に記載の冷蔵庫。
【請求項５】
防振装置の外部支持部材は、前記筐体に回動可能に軸止されている請求項４に記載の冷蔵庫。
【請求項６】
防振装置は、弾性を有する弾性部材と、筐体と固定される固定部材とを備え、少なくと
も扉が筐体へ衝突する衝突方向と略平行方向において、前記固定部材と前記弾性部材との間にクリアランスを有するものである請求項１から５のいずれか一項に記載の冷蔵庫。
【請求項７】
防振装置の固定部材と弾性部材との間に備えられたクリアランスは、前記防振装置の圧縮機側のクリアランスが前記防振装置の筐体側のクリアランスよりも大きいものである請求項６に記載の冷蔵庫。
【請求項８】
請求項１から７のいずれか一項に記載の冷蔵庫に搭載する圧縮機。
【請求項９】
請求項１から７のいずれか一項に記載の冷蔵庫に搭載する圧縮機の防振装置。
【発明の詳細な説明】
【技術分野】
【０００１】
本発明は、冷蔵庫および圧縮機および圧縮機の防振装置に関するものである。
【背景技術】
【０００２】
近年、冷蔵庫は地球環境保護の観点から更なる省エネルギー化が進むとともに、その使用性や収納性の向上、加えて、アメニティー向上の観点から更なる静音化が求められている。
【０００３】
以下、図面を参照しながら上記従来の冷蔵庫について説明する。
【０００４】
従来この種の冷蔵庫は、機械室に形成される圧縮機などを、ユーザーサイドから見て使い勝手の悪い冷蔵庫本体の天面や、もしくは冷蔵庫本体の背面上部に設置するという方法がとられていた（例えば、特許文献１参照）。
【０００５】
図１２は従来の冷蔵庫の構成断面図、図１３は従来の冷蔵庫の圧縮機の縦断面図である。
【０００６】
一般に、冷蔵庫は、圧縮機５０、蒸発器２８、及び凝縮器（図示せず）、膨張器（図示せず）を配管などで連結構成される冷凍サイクルにより生成された冷気を吐出し、庫内の温度を低下させ、食品などを冷凍、冷蔵保管するために利用される。
【０００７】
冷蔵庫の筐体である箱本体１は、上から冷蔵室７、野菜室１０、冷凍室１１という構成からなる。
【０００８】
冷蔵室７は、箱本体１の前面において一端部がヒンジ１２を介して回転可能に支持された回転動式である回転扉１３を有している。また、野菜室１０は、レール（図示せず）を介して前方、後方にスライド可能な往復動式である引出扉１５ｄを有しており、冷凍室１１も野菜室１０と同様に、往復動式である引出扉１５ｃを有している。
【０００９】
回転扉１３、及び引出扉１５ｃ、１５ｄの内側の縁には、箱本体１のシール面１７と密着することで冷蔵庫内部と外部を遮断させるとともに、扉を閉めたときの衝撃を吸収するためのガスケット１６が装着されている。
【００１０】
また、回転扉１３の内側には、食品などを収納する為の扉ポケット１４が複数個設けられている。
【００１１】
箱本体１の上方には、箱本体１の天面１８と背面１９に渡って冷蔵室７側に凹ませた凹部２０が設けられている。冷蔵室７には食品などを収納する為の収納棚２１が複数個設けられているが、一般的にユーザーサイドから見て使い勝手が良くないとされる最上段の棚２２で区画された最上段収納スペース２２ａと第２段収納スペース２３ａの奥側は、箱本体１の背面上部に設けた凹部２０により凸状に出っ張っている。
【００１２】
凹部２０には圧縮機５０や機械室ファン９０、凝縮器（図示せず）、ドライヤー（図示せず）などが設置されている。
【００１３】
圧縮機５０は、密閉容器５２内に固定子６０および回転子６２からなる電動要素５８と、電動要素５８によって駆動される圧縮要素６３とを収納したものである（例えば、特許文献２参照）。
【００１４】
圧縮要素６３は、回転子６２の回転に伴ってブロック５９に軸支されたクランクシャフト６８が回転し、クランクシャフト６８の偏芯軸部６７の回転運動が、連結手段６９を介してピストン６５に伝えられ、ピストン６５はブロック５９に形成されたボア孔７３内を往復運動することで冷媒５３を吸入圧縮するもので、家庭用の冷蔵庫では一般的に使用されている。
【００１５】
また、圧縮機５０を箱本体１に固定する際は、防振ゴム等を用いることが一般的であるが、これは、圧縮機５０の運転時に生じる振動が箱本体に伝播することを防止し、冷蔵庫の低騒音・低振動化を目的にしたものである。
【特許文献１】特開平１１−１８３０１４号公報
【特許文献２】特公昭６２−４４１０８号公報
【発明の開示】
【発明が解決しようとする課題】
【００１６】
しかしながら、上記従来の構成では、回転扉１３の扉ポケット１４に食品などを収納した状態にて回転扉１３を閉めた場合、ガスケット１６と箱本体１とのシール面１７が衝突した際に、ガスケット１６にて吸収し切れない衝撃力が、シール面１７から箱本体１に伝わり、冷蔵庫が前後に揺動することがある。また、野菜室１０、冷凍室１１に食品などを収納した状態にて引出扉１５ｃ、１５ｄを閉めた場合も同様に冷蔵庫が前後に揺動する。この時、圧縮機５０の密閉容器５２の内壁と圧縮要素６３が接触し、いわゆる釜当り音が散発的に発生することがある。
【００１７】
また、こういった釜当たり音の課題は、上記従来の構成のような圧縮機５０が箱本体１の設置面である下端部と離れて設置されている場合には、固定端である下端部より大きく離れている天面部の振動の振幅が最も大きくなる為、圧縮機の振幅も大きくなり、圧縮機内部の釜当たりが特に顕著となる。
【００１８】
本発明は、上記従来の課題を解決するもので、回転扉１３、及び引出扉１５ｃ、１５ｄを閉じた際の衝撃による圧縮機５０の釜当りを抑制し、静音化が図れ、かつ信頼性の高い冷蔵庫を提供することを目的とする。
【課題を解決するための手段】
【００１９】
本発明の冷蔵庫は、前面開口部を有する筐体と、前記筐体に備えられ閉時に前記前面開口部を閉塞する扉と、前記筐体に備えられた冷凍サイクルの圧縮機と、前記圧縮機を前記筐体に支持する防振装置とを有したものであって、前記扉が閉時に、前記扉が前記筐体へ衝突する衝突方向に対して、前記防振装置は、前記衝突方向に対する略直角方向の変位量よりも前記衝突方向に対する略平行方向の変位量が大きいものである。
【００２０】
また、本発明の冷蔵庫は、前面開口部を有する筐体と、前記筐体に備えられ閉時に前記前面開口部を閉塞する扉と、冷凍サイクルの圧縮機と、前記圧縮機を前記筐体に支持する防振装置とからなり、前記防振装置は、前記箱筐体からの振動のうち、略垂直成分の振動よりも略水平方向成分の振動をより多く吸収する第一緩衝手段と、略水平方向成分の振動よりも略垂直成分の振動をより多く吸収する第二緩衝手段とを備えたものである。
【００２１】
これによって、閉扉時に生じる衝撃力を圧縮機の外部で吸収し、圧縮機の内部への衝撃力の伝播を抑制することで、釜当たり音の抑制ができる。
【発明の効果】
【００２２】
本発明の冷蔵庫は、圧縮機の釜当りを抑制するので、静音化が図れ、信頼性の高い冷蔵庫を提供できるという効果が得られる。
【発明を実施するための最良の形態】
【００２３】
請求項１に記載の発明は、前面開口部を有する筐体と、前記筐体に備えられ閉時に前記前面開口部を閉塞する扉と、前記筐体に備えられた冷凍サイクルの圧縮機と、前記圧縮機を前記筐体に支持する防振装置とを有したものであって、前記扉が閉時に、前記扉が前記筐体へ衝突する衝突方向に対して、前記防振装置は、前記衝突方向に対する略直角方向の変位量よりも前記衝突方向に対する略平行方向の変位量が大きいものであるとともに、前記圧縮機を前記筐体の天面に配置することに加え、前記圧縮機の前方側には断熱層が形成されるように冷蔵庫本体の背面上部に配置しているものであり、これによって、圧縮機の内部へ衝撃力が伝わる前に、圧縮機の外部にそなえられた防振装置によって衝撃力を大きく低減することができ、圧縮機の内部への衝撃力の伝播を低減することで圧縮機の釜当りを抑制することができる。このように、略水平成分の振動に対して圧縮機の支持装置において大きな防振効果が得られこととなり、圧縮機の釜当りを抑制することができる。
【００２４】
請求項２に記載の発明は、前面開口部を有する筐体と、前記筐体に備えられ閉時に前記前面開口部を閉塞する扉と、冷凍サイクルの圧縮機と、前記圧縮機を前記筐体に支持する防振装置とからなり、前記防振装置は、前記箱筐体からの振動のうち、略垂直成分の振動よりも略水平方向成分の振動をより多く吸収する第一緩衝手段と、略水平方向成分の振動よりも略垂直成分の振動をより多く吸収する第二緩衝手段とを備えたものであるとともに、前記圧縮機を前記筐体の天面に配置することに加え、前記圧縮機の前方側には断熱層が形成されるように冷蔵庫本体の背面上部に配置しているものであり、これによって、圧縮機の内部へ衝撃力が伝わる前に、圧縮機の外部にそなえられた防振装置によって衝撃力を大きく低減することができ、圧縮機の内部への衝撃力の伝播を低減することで圧縮機の釜当りを抑制することができる。このように、略水平成分の振動に対して圧縮機の支持装置において極めて大きな防振効果が得られこととなり、圧縮機の釜当りを抑制することができる。
【００２５】
請求項３に記載の発明は、防振装置は、圧縮機の外部に取付けられた弾性部材からなる第二緩衝手段と、前記第二緩衝手段と前記筐体との間に形成され前記第二緩衝手段も含めた前記圧縮機の水平方向への移動を可能にした第一緩衝手段とからなることにより、略水平成分の衝撃力に対して大きな吸収力を備えることにより防振効果が得られた上で、吸収しきれなかった衝撃力を第二緩衝手段によって吸収することで、圧縮機の内部への衝撃力の伝播を抑制し、圧縮機の釜当りを抑制することができる。
【００２６】
請求項４に記載の発明は、防振装置は、圧縮機と冷蔵庫本体に対して、二重の弾性部材である外部弾性部材と外部支持部材とを備え、前記防振装置の圧縮機側に外部弾性部材が備えられており、前記圧縮機と前記外部弾性部材とを含めて外部支持部材によって弾性支持されているものである。
【００２７】
これによって、冷蔵庫の外部からかかった衝撃力をまず外部支持部材が吸収し、外部支持部材で吸収しきれなかった衝撃力を外部弾性部材によって吸収することにより、圧縮機の内部へ伝達する衝撃力を抑制することができ、圧縮機の釜当りを抑制することができる。
【００２８】
請求項５に記載の発明は、防振装置の外部支持部材は、前記筐体に回動可能に軸止されていることにより、前記扉の閉時に前記筐体が前後方向に傾倒するように揺動する場合、揺動方向の振動成分に対して大きな防振効果が得られ、圧縮機の釜当りを抑制することができる。
【００２９】
請求項６に記載の発明は、防振装置は、弾性を有する弾性部材と、筐体と固定される固定部材とを備え、少なくとも扉が筐体へ衝突する衝突方向と略平行方向において、前記固定部材と前記弾性部材との間にクリアランスを有するものである。
【００３０】
これによって、衝撃方向と略平行方向における防振装置の剛性が隙間部分であるクリアランスの部分においては限りなく０に近くなる程度まで低くすることができ、圧縮機の内部へ衝撃力が伝わる前に圧縮機の外部で大きく衝撃力を吸収することができるので、密閉容器から電動圧縮要素へ伝達する振動を低減することができるので、圧縮機の釜当りを抑制し、静音化が図れ、信頼性の高い冷蔵庫を提供することができる。
【００３１】
請求項７に記載の発明は、防振装置の固定部材と弾性部材との間に備えられたクリアランスは、前記防振装置の圧縮機側のクリアランスが前記防振装置の筐体側のクリアランスよりも大きいものである。
【００３２】
これによって、防振装置の圧縮機側の変位量をより大きくすることができ、例えば防振装置の下端部が冷蔵庫本体に固定されているような場合でも、防振装置の圧縮機側に備えられたクリアランスクの部分においては衝撃方向と略平行する方向における剛性が限りなく０に近くなる程度まで低くすることができ、圧縮機の内部へ衝撃力が伝わる前に圧縮機の外部で大きく衝撃力を吸収することができるので、密閉容器から電動圧縮要素へ伝達する振動を低減することができるので、圧縮機の釜当りを抑制し、静音化が図れ、信頼性の高い冷蔵庫を提供することができる。
【００３４】
請求項８に記載の発明は、請求項１から７のいずれか一項に記載の冷蔵庫に搭載する圧縮機であって、これによって、釜当たりの課題が発生する可能性の高い冷蔵庫に搭載するような圧縮機において、圧縮機の釜当りを抑制するので、静音化が図れ、信頼性の高い圧縮機を提供できるという効果が得られる。
【００３５】
請求項９に記載の発明は、請求項１から７のいずれか一項に記載の冷蔵庫に搭載する圧縮機の防振装置であって、これによって、釜当たりの課題が発生する可能性の高い冷蔵庫に搭載するような圧縮機の搭載する際に、圧縮機の釜当りを抑制するので、静音化が図れ、信頼性の高い圧縮機を提供できるという効果が得られる。
【００３６】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３７】
（実施の形態１）
図１は本発明の実施の形態１における冷蔵庫の側面図である。図２は本発明の実施の形態１における冷蔵庫の平面図である。図３（ａ）は本発明の実施の形態１における圧縮機の縦断面図であり、図３（ｂ）は本発明の実施の形態１における圧縮機の水平断面図である。図４は本発明の実施の形態１における防振装置の構成を示す図である。図５は本発明の実施の形態１における防振装置の動作を示す図である。
【００３８】
図１、図２、図３（ａ）、図３（ｂ）、図４において、筐体である冷蔵庫本体１００は、外箱１００ａの内部に断熱層１００ｂが形成されている。
【００３９】
ここで、冷蔵庫は、平たんな床面９６に設置されており、最下部が設置部となり、冷蔵庫の背面に位置する壁９７とは所定の距離を隔てて設置されている。
【００４０】
機械室１０１は、冷蔵庫本体１００の上部の背面近傍に区画形成されている。
【００４１】
扉１０２は、冷蔵庫本体１００の上部に取り付けられた回転式の扉である。
【００４２】
扉１０３は、冷蔵庫本体１００の中部より下方に取り付けられた引出し式の扉である。
【００４３】
圧縮機１１０は、冷蔵庫本体１００の背面上方に備えられた機械室１０１に配設されており、４つの防振装置１２０を介して外箱１００ａに固定されている。また、圧縮機１１０の前方側には断熱層１００ｂが形成されている。
【００４４】
また、本実施の形態においては、垂直方向とは重力方向である上下方向を指し、水平方向とは重力方向に対して垂直な前後左右方向をさす。また水平方向の中でも扉１０２，１０４が閉まる際に冷蔵庫本体１００と衝突する衝突方向Ａに対して略平行方向と、衝突方向Ａに対して略直角方向とを用いて説明する。よって、衝突方向Ａに対する略平行方向と略直角方向とは、ともに水平方向に含まれるものである。
【００４５】
ここで、圧縮機１１０は、主に略密閉された外郭を成すシェル１１１とシェル１１１の外部に備えられた脚部１１１ａと、シェル１１１の内部に備えられた駆動部１１２と、メカ部１１３と、駆動部１１２とメカ部１１３からなる圧縮機本体をシェルに対して弾性支持する弾性体１１４とから構成され、駆動部１１２とメカ部１１３からなる圧縮機本体は弾性体１１４を介してシェル１１１に固定されることで、シェル１１１に対して伝わる運転時の振動を低減している。つまり、駆動部１１２とメカ部１１３からなる圧縮機本体は、シェル１１１内部で移動可能であり、例えば圧縮機１１０にかかる外部からの加速度により、圧縮機本体が揺動し、特に支持部である弾性体１１４から離れている上部に位置するメカ部１１３とシェル１１１内部とが接触することになり、釜当り音が散発的に発生する。
【００４６】
圧縮機１１０の外部に備えられ、圧縮機１１０を冷蔵庫本体１００に対して弾性支持する防振装置１２０は、シェル１１１の外部に備えられた脚部１１１ａに取り付けられ、主にスタットピン１２１と、防振ゴム１２２と、Ｕリング１２３とから構成されている。
【００４７】
また、この時、防振装置１２０は圧縮機１１０のシェル１１１に形成された脚部１１１ａに備えられているが、この際に扉１０２，１０４が閉まる際に冷蔵庫本体１００と衝突する衝突方向Ａ冷蔵庫に対し略平行方向の脚１１１ａ間ピッチＷｂは、衝突方向Ａに対し略直角方向の脚１１１ａ間ピッチＷａよりも長くなるように形成している。
【００４８】
ここで、冷蔵庫本体１００への固定部材であるスタットピン１２１は、外郭１１０ａに固定され、上方に向けて伸びる円柱状の固定金具である。
【００４９】
次に、防振ゴム１２２は、内部が中空である球根形状をしており、上下部には貫通穴１２２ａ、１２２ｂが形成されている。
【００５０】
防振装置１２０の冷蔵庫本体１００側に位置する下部貫通穴１２２ａは、スタットピン１２１とのクリアランスが略０となるように設定されており、防振装置１２０の圧縮機１１０側に位置する上部貫通穴１２２ｂは、スタットピン１２１とのクリアランスが約３ｍｍとなるように設定されている。
【００５１】
本実施の形態では、このクリアランスを第一緩衝手段とし、外部から衝撃力がかかった場合に略垂直方向の成分よりも略水平方向の成分の衝撃力をより多く吸収するものである。また、防振ゴム１２２を第二緩衝手段とし、外部から衝撃力がかかった場合に、略水平方向の成分よりも略垂直方向の成分の衝撃力をより多く吸収するものである。
【００５２】
すなわち、防振装置１２０は、閉扉に伴い外部から衝撃力がかかった場合には、扉１０２，１０３が冷蔵庫本体１００と衝突する衝突方向と略平行方向を含む水平方向において、冷蔵庫本体１００側よりも圧縮機１１０側の方が変位量が大きく動きやすくなっている。つまり、外部から衝撃力がかかった場合の防振装置の変位量は冷蔵庫本体１００側の特に下端部はほぼ０で冷蔵庫本体に対して変位しないのに対して、圧縮機１１０側は上記クリアランスによって、容易に冷蔵庫本体に対して変位することとなる。
【００５３】
また、防振ゴム１２２は、中空の球根形状であり、水平方向においては、上部貫通穴１２２ａとスタットピン１２１の間に所定のクリアランスが形成されているのに対して、垂直方向である上下方向に対しては、シェル１１１の脚部１１１ａの下端部と冷蔵庫本体１００との間は弾性部材である防振ゴムによってクリアランスなく弾性保持されている。
【００５４】
これによって、例えば外部からそれぞれの方向に対して同程度の衝撃力がかかった場合に、垂直方向である上下方向における防振ゴム１２２の変位量よりも、水平方向における防振ゴム１２２の変位量の方が大きく設定されている。つまり、圧縮機１１０の駆動により発生する振動を冷蔵庫本体１１０への伝達を抑制するために用いられる従来の防振装置は、縦方向の振動減衰率をより高めることで振動伝達を抑制するように設定されているのに対して、本実施の形態の防振装置１２０は、水平方向の振動減衰率をより高めることを主眼において設計されている。
【００５５】
さらに、上部貫通穴１２２ａの近傍で、シェル１１１の脚部１１１ａは防振ゴム１２２に嵌め込まれるように固定されている。
【００５６】
Ｕリング１２３は、防振ゴム１２２の上部に取り付けられ、圧縮機１１０の上下方向の脱離を防止している。
【００５７】
以上のように構成された冷蔵庫について、以下その動作、作用を説明する。
【００５８】
図５において、まず、開状態の扉１０２、扉１０３が人の手により閉められ、扉１０２，１０３が冷蔵庫本体１００と衝突する全閉状態となった瞬間、扉１０２および扉１０３により、冷蔵庫本体１００は、扉１０２，１０３と冷蔵庫本体１００との衝突方向である前方から後方に向けて強い衝撃力を受け、冷蔵庫本体１００には水平方向への振動が生じることになる。
【００５９】
この時、冷蔵庫本体１００は、扉１０２，１０３が冷蔵庫本体１００と衝突する衝突方向と略平行方向を含む水平方向において、まず衝突方向である後方への大きな振幅が生じた後、前後方向の揺動によって減衰振動を繰り返すこととなる。
【００６０】
さらに、本実施の形態では、圧縮機１１０は、冷蔵庫本体１００の上部に配設されており、冷蔵庫本体１００の設置面が最下部であることから、冷蔵庫本体１００の最下部が固定端となり、冷蔵庫本体１００の最上部が自由端となることから、圧縮機１１０が自由端付近に配置されることとなり、外部から衝撃力がかかった場合には、振動の影響を受け易く、冷蔵庫本体１００の中でも圧縮機１１０付近の揺動の振幅が最も大きくなる。
【００６１】
よって、圧縮機１１０に外部から水平方向の振動が加わった場合、シェル１１１に生じる振動と、駆動部１１２とメカ部１１３からなる圧縮機本体の振動は、弾性体１１４により位相差が生じ、圧縮機本体とシェル１１１が衝突し、この衝突に伴う音が釜当り音となる。
【００６２】
こういった釜当たりの課題に対して、従来技術の防振装置では、圧縮機１１０への水平方向成分の振動減衰率は小さく、圧縮機１１０の外部において水平方向の衝撃力を吸収しにくい為、衝撃力が圧縮機１１０の内部へと容易に伝達する為、釜当りが生じやすかったのに比べて、本実施の形態の場合、防振ゴム１２２は、中空の球根形状であり、また上部貫通穴１２２ａとスタットピン１２１の間に水平方向における所定のクリアランスが形成されており、上下方向に対して防振ゴム１２２が許容する変位量よりも、水平方向に対して防振ゴム１２２が許容する変位量の方が大きく設定されているので、圧縮機１１０の外部から衝撃力がかかった場合に、圧縮機１１０の外部において水平方向の衝撃力をより吸収しやすい為、衝撃力が圧縮機１１０の内部へ伝達するのを抑制することができる為、圧縮機１１０内の釜当りを抑制することができる。
【００６３】
特に、防振装置１２０は、外部から衝撃力がかかった場合には、水平方向において、冷蔵庫本体１００側よりも圧縮機１１０側の方がより変位量が大きく動きやすくなっている。つまり、外部から衝撃力がかかった場合の防振装置の変位量は冷蔵庫本体１００側の特に下端部はほぼ０で冷蔵庫本体に対して変位しないのに対して、圧縮機１１０側は上記クリアランスによって、容易に冷蔵庫本体に対して変位することとなるので、冷蔵庫本体１００対してシェル１１１の変位量が大きくなるので、より衝撃力の吸収量を大きくすることができる。
【００６４】
この時、第一緩衝部材であるクリアランスの部分においては衝撃方向と略平行する方向における剛性が限りなく０に近くなる程度まで低くすることができ、圧縮機の内部へ衝撃力が伝わる前に圧縮機の外部で大きく衝撃力を吸収することができることは言うまでもない。また、この第一緩衝部材に加えて第二緩衝部材である防振ゴム１２２を備えることで、圧縮機１１０から発生する振動が冷蔵庫本体１００へと伝達するのをも抑制することができる。
【００６５】
このように、圧縮機１１０の内部へ衝撃力が伝わる前に、圧縮機１１０の外部支持部材である防振装置１２０によって衝撃力を大きく低減することができ、圧縮機１１０の内部への衝撃力の伝播を低減することで圧縮機１５０の釜当りを抑制することができる。
【００６６】
また、本発明は、防振装置１２０は圧縮機１１０のシェル１１１に形成された脚部１１１ａに備えられているが、この際に扉１０２，１０４が閉まる際に冷蔵庫本体１００と衝突する衝突方向Ａ冷蔵庫に対し略平行方向の脚１１１ａ間ピッチＷｂは、衝突方向Ａに対し略直角方向の脚１１１ａ間ピッチＷａよりも長くなるように形成しているので、閉扉による釜当たりの抑制を図る場合には、衝突方向Ａに主眼を置いて、衝突方向Ａと略平行方向の剛性をより低くすることで、圧縮機１１０が衝突方向Ａと略平行な方向により動きやすくすることで、衝突方向Ａと略平行な方向の衝撃力をより吸収することができ、釜当たりの抑制を図ることができる。
【００６７】
このように圧縮機１１０の脚１１１ａのピッチを工夫することで、扉１０２，１０４が閉まる際に、衝突方向Ａに対する略直角方向の変位量よりも衝突方向に対する略平行方向の変位量が大きくすることができ、これによって、圧縮機の内部へ衝撃力が伝わる前に、圧縮機の外部にそなえられた防振装置によって衝撃力を大きく低減することができ、圧縮機の内部への衝撃力の伝播を低減することで圧縮機の釜当りを抑制することができる。このように、略平行成分の振動に対して圧縮機の支持装置において大きな防振効果が得られこととなり、圧縮機の釜当りを抑制することができる。
【００６８】
つまり、水平方向の振動減衰率を高めた本実施の形態の防振装置１２０は、回転式扉１０２および引出し式扉１０３の閉時に生じる水平方向の振動に対して、圧縮機１１０の振幅を小さくできることから、圧縮機１１０内の釜当りを抑制することができる。
【００６９】
これは、圧縮機１１０を冷蔵庫本体１００の上部に配設した冷蔵庫においては特に釜当たり音の発生が顕著となるので、有効な手段となる。
【００７０】
さらに、本実施の形態においては、圧縮機１１０を筐体である冷蔵庫本体１００の天面に配置することに加え、圧縮機１１０の前方側には断熱層１００ｂが形成されるように冷蔵庫本体の背面上部に配置していることで、仮に釜当たり音が発生した場合においても、釜当たり音の前方への透過をより低減することができ、さらなる静音化を実現した冷蔵庫を提供することが可能となる。
【００７１】
以上のように、本実施の形態の冷蔵庫は、前面開口部を有する冷蔵庫１００と、冷蔵庫１００に備えられ閉時に前面開口部を閉塞する回転式の扉１０２および引出し式の扉１０３と、冷凍サイクルの圧縮機１１０と、圧縮機１１０を冷蔵庫１００に支持する防振装置１２０からなり、防振装置１２０は、垂直方向に許容する変位量よりも水平方向に許容する変位量が大きくしたことにより、回転式扉１０２および引出し式扉１０３の閉時に生じる水平方向の振動に対して、圧縮機１１０の振幅を小さくできることから、圧縮機１１０内の釜当りを抑制することができ、静音化が図れ、かつ信頼性を高めることができる。
【００７２】
なお、本実施の形態では冷蔵庫本体１００の天面に圧縮機１１０を搭載するものとしたが、必ずしも天面に圧縮機を搭載するものでなくとも、なんらかの要因で外部からの衝撃力が冷蔵庫本体１００にかかり、その際に圧縮機１１０の内部で釜当たり音が発生するような冷蔵庫においては、同様に、釜当たり音を抑制することが可能である。
【００７３】
なお、本実施の形態では、圧縮機１１０の脚１１１ａのピッチを工夫することで、扉１０２，１０４が閉まる際に、衝突方向Ａに対する略直角方向の変位量よりも衝突方向に対する略平行方向の変位量が大きくするものとしたが、例えば、圧縮機１１０と冷蔵庫本体１００との間に備えられた配管形状を工夫することによっても、衝突方向Ａに対する略直角方向の変位量よりも衝突方向に対する略平行方向の変位量を大きくすることが可能である。この一例としては、例えば圧縮機１１０の背面側の冷蔵庫本体１００から延出した吸入配管を上下方向に蛇行させながら一旦圧縮機１１０の側方を通って圧縮機１１０前面側付近まで延出させた後、再び圧縮機１１０の背面側へと戻すことで、圧縮機１１０の冷蔵庫本体１００に対する衝突方向Ａにおける剛性を低め、しなりやすくすることで変位量を大きくすることも可能である。
【００７４】
（実施の形態２）
図６は本発明の実施の形態２における防振装置の構成を示す図である。図７は本発明の実施の形態２における防振装置の動作を示す図である。
【００７５】
なお、実施の形態１と同様の構成については、詳細な説明を省略する。
【００７６】
図６において、防振装置２２０は、主に冷蔵庫本体１００への固定部材であるスタットピン２２１と、スプリング２２２と、上部ゴムブッシュ２２３と、下部ゴムブッシュ２２４と、潤滑部材２２５と、Ｕリング２２６とから構成されている。
【００７７】
ここで、スタットピン２２１は、外郭１１０ａに固定され、上方に向けて伸びる円柱状の固定金具である。
【００７８】
次に、スプリング２２２は、鋼材を用いたバネである。
【００７９】
上部ゴムブッシュ２２３は、シェル１１１とスプリング２２２を固定するために用いられる中空部材であり、スタットピン２２１との水平方向におけるクリアランスが約３ｍｍとなるように設定されている。
【００８０】
下部ゴムブッシュ２２４は、スプリング２２２の下方に固定された中空部材であり、スタットピン２２１とのクリアランスが約３ｍｍとなるように設定されている。
【００８１】
潤滑部材２２５は、下部ゴムブッシュ２２４と、外箱１００ａの間に塗布された潤滑材であり、耐油性の高いグリースを用いることが望ましい。
【００８２】
このように、防振装置２２０は異なる種類の弾性部材であるコイルばねからなるスプリング２２２と、ゴムからなる上部ゴムブッシュ２２３および下部ゴムブッシュ２２４とを組み合わせて用いている。
【００８３】
本実施の形態では、圧縮機１１０の運転時の振動を吸収するために主に垂直方向である上下方向の振動吸収率を高め、さらに耐久性も保障される鋼材を用いたばねからなるスプリング２２２と、扉１０２および扉１０３の閉時に生じる水平方向の振動吸収率を高めた潤滑部材２２５とを独立して構成し、さらに水平方向の振動吸収率を高める為にゴムブッシュとスタットピン２２１との間にクリアランスを形成することで、水平方向の振動吸収率を高めた。
【００８４】
Ｕリング２２６は、上部グムブッシュ２２３の上部に取り付けられ、圧縮機１１０の上下方向の脱離を防止している。
【００８５】
本実施の形態では、この潤滑部材と、ゴムブッシュ２２４とスタットピン２２１との間のクリアランスとを第一緩衝手段とし、外部から衝撃力がかかった場合に略垂直方向の成分よりも略水平方向の成分の衝撃力をより多く吸収するものである。また、スプリング２２２と、ゴムからなる上部ゴムブッシュ２２３および下部ゴムブッシュ２２４とを組み合わせた防振装置１２０を第二緩衝手段とし、外部から衝撃力がかかった場合に、略水平方向の成分よりも略垂直方向の成分の衝撃力をより多く吸収するものである。
【００８６】
以上のように構成された冷蔵庫について、以下その動作、作用を説明する。
【００８７】
図７において、開状態の扉１０２および扉１０３の閉時に生じる外部からかかる水平方向の衝撃力に対して、潤滑部材２２５の働きにより、圧縮機１１０と、防振部材１２０は、外箱１００ａの上で横滑りする状態となる。つまり、前後方向の冷蔵庫本体１００の変位に対して圧縮機１１０のシェル１１１の変位を大きくすることが可能となり、圧縮機１１０の外部から衝撃力がかかった場合に、圧縮機１１０の外部において水平方向の衝撃力をより吸収しやすい為、衝撃力が圧縮機１１０の内部へ伝達するのを抑制することができ、圧縮機１１０の内部に伝達する衝撃力を抑制できることから、圧縮機１１０内の釜当りを抑制することができる。
【００８８】
特に、圧縮機１１０の外部に備えられた防振装置１２０は、外部から衝撃力がかかった場合には、水平方向において、圧縮機１１０が横滑りすることにより、圧縮機１１０を弾性支持する防振部材１２０そのものがより変位量が大きく動きやすくなっている。さらに、この防振部材も含めた圧縮機１１０の横滑りに加えて、防振装置１２０の内部においても、ゴムブッシュとスタットピン２２１との間にクリアランスによって、圧縮機１１０が防振部材１２０に対しても変位することが可能となるので、冷蔵庫本体１００対してシェル１１１の変位量が大きくなるので、より水平方向における衝撃力の吸収量を大きくすることができる。
【００８９】
このように、圧縮機１１０の内部へ衝撃力が伝わる前に、圧縮機１１０の外部支持部材である防振装置１２０によって衝撃力を大きく低減することができ、圧縮機１１０の内部への衝撃力の伝播を低減することで圧縮機１５０の釜当りを抑制することができる。
【００９０】
以上のように本実施の形態の冷蔵庫は、前面開口部を有する冷蔵庫本体１００と、冷蔵庫本体１００に備えられ閉時に前面開口部を閉塞する回転式の扉１０２および引出し式の扉１０３と、冷凍サイクルの圧縮機１１０と、圧縮機１１０を冷蔵庫１００に支持する防振部材１２０からなり、防振部材１２０は、冷蔵庫１００からの振動のうち、主に略水平方向成分の振動を吸収する潤滑部材２２５と主に略垂直成分の振動を吸収するスプリング２２２とを独立して構成したことにより、回転式扉１０２および引出し式扉１０３の閉時に生じる水平方向の振動に対して圧縮機１１０の振幅を小さくできることから、圧縮機１１０内の釜当りを抑制することができ、静音化が図れ、かつ信頼性を高めることができる。
【００９１】
なお、本実施の形態では、潤滑部材２２５によって、圧縮機１１０を弾性支持する防振部材１２０そのものがより変位量が大きく動きやすくなっているものとしたが、実施の形態１で示したように、防振部材１２０の下端部は冷蔵庫本体１００に対してあまり変位せずに防振部材１２０の圧縮機１１０側がクリアランスによって冷蔵庫本体１００に対してより動きやすくするものに本実施の形態のような防振装置２２０は異なる種類の弾性部材であるコイルばねからなるスプリング２２２と、ゴムからなる上部ゴムブッシュ２２３および下部ゴムブッシュ２２４とを組み合わせて用いている場合でも、水平方向における衝撃力の吸収量を確保することができる。
【００９２】
なお、本実施の形態は、防振装置２２０は異なる種類の弾性部材であるコイルばねからなるスプリング２２２と、ゴムからなる上部ゴムブッシュ２２３および下部ゴムブッシュ２２４とを組み合わせて用いているものにおいて、さらに潤滑部材２２５によって、圧縮機１１０を弾性支持する防振部材１２０そのものがより変位量が大きく動きやすくなっているものとしたが、例えば実施の形態１のようなゴム等の単一の材料によって弾性力を得ているようなタイプの防振装置２２０を用いた場合でも、下端部に潤滑部材２２５を設けることによって、圧縮機１１０を弾性支持する防振部材１２０そのものがより変位量が大きく動きやすくすることができることによって、圧縮機１１０の外部でより衝撃力を吸収することももちろん可能である。
【００９３】
（実施の形態３）
図８は本発明の実施の形態３における冷蔵庫の側面図である。図９は本発明の実施の形態３における防振装置の構成を示す図である。図１０は本発明の実施の形態２における防振装置の動作を示す図である。図１１は本発明の実施の形態２における防振装置の動作を示す図である。
【００９４】
図８、図９において、筐体である冷蔵庫本体１００は、平たんな床面９８に設置されており、壁９９とは下方の突起部９９ａと当接した状態で設置されている。
【００９５】
ここで、実際の家屋において突起部９９ａは、冷蔵庫の背壁面にある壁に取り付けられた桟に代表される突起である。
【００９６】
防振装置３２０は、主に冷蔵庫本体１００への固定部材であるスタットピン３２１と、スプリング３２２と、上部グムブッシュ３２３と、下部ゴムブッシュ３２４と、Ｕリング２２５とからなる外部弾性部材と、揺動部材３２６と、ガイドピン３２７と、緩衝材３２８とからなる外部支持部材で構成されている。
【００９７】
ここで、スタットピン３２１は、外郭１１０ａに固定され、上方に向けて伸びる円柱状の固定金具である。
【００９８】
スプリング３２２は、鋼材を用いたバネである。
【００９９】
上部ゴムブッシュ３２３は、シェル１１１とスプリング２２２を固定するために用いられる中空部材であり、スタットピン２２１とのクリアランスが略０となるように設定されている。
【０１００】
下部ゴムブッシュ３２４は、スプリング２２２の下方に固定された中空部材であり、スタットピン３２１とのクリアランスが略０となるように設定されている。
【０１０１】
Ｕリング３２５は、上部グムブッシュ３２３の上部に取り付けられ、圧縮機１１０の上下方向の脱離を防止している。
【０１０２】
揺動部材３２６は、外箱１００ａに対し回転軸３２６ａを中心に前後方向に回転可能に軸止された揺動プレート３２６ｂから構成されており、揺動プレート３２６ｂの一端には、ガイド溝３２６ｃが形成されている。
【０１０３】
このように、圧縮機１１０の防振装置３２０は冷蔵庫本体１００に対して、２重の弾性部材である外部弾性部材と外部支持部材とから構成されており、圧縮機１１０側に外部弾性部材が備えられており、圧縮機１１０と外部弾性部材とを含めて外部支持部材によって弾性支持されている。
【０１０４】
ガイドピン３２７は、外箱１００ａから上方に向けて伸びる円柱状の固定金具であり、ガイド溝３２６ｃを貫通するように配設されている。
【０１０５】
緩衝材３２８は、ガイドピン３２７の上下端部に設けられた緩衝材であり、揺動プレート３２６ｂと、外箱１００ａおよびガイドピン３２７の上端との当接音を抑制している。
【０１０６】
以上のように構成された冷蔵庫について、以下その動作、作用を説明する。
【０１０７】
図１０、図１１において、まず、開状態の扉１０２、扉１０３が人の手により閉められ、全閉状態となった瞬間、扉１０２および扉１０３により、冷蔵庫本体１００は、後方に向けて強い衝撃を受け、突起部９９ａと冷蔵庫本体１００の下部が当接していることから、冷蔵庫本体１００の後方下部を支点に回転運動が生じる。つまり、まず、冷蔵庫本体１００の前方下部が若干浮き上がり、機械室１０１が後方に若干沈み込む動作を行い、次に前方への復帰動作が続き、これらの動作を繰り返しながら減衰して行く。
【０１０８】
これに対して、本実施の形態の防振装置３２０は、揺動プレート３２６ｂが回転軸３２６ａを中心に傾倒する。このとき、揺動プレート３２６ｂが傾倒を許される範囲は、揺動プレート３２６ｂがガイドピン３２７の上下部に配設された緩衝材３２８に当接する間に限られる。
【０１０９】
このように、冷蔵庫本体１００の揺動運動に対して、揺動プレート３２６ｂが圧縮機１１０の初期状態、つまり水平状態を保つように傾倒することで、圧縮機１１０の内部に伝わる衝撃を低減でき、釜当たりを抑制することができる。
【０１１０】
すなわち、圧縮機１１０の防振装置３２０は冷蔵庫本体１００に対して、２重の弾性部材である外部弾性部材と外部支持部材とから構成されており、圧縮機１１０側に外部弾性部材が備えられており、圧縮機１１０と外部弾性部材とを含めて外部支持部材によって弾性支持されていることにより、外部から衝撃力が加わった場合には、まずはより大きく外部支持部材が揺動することによって衝撃力が吸収され、次に外部支持部材によって吸収しきれなかった衝撃力が外部弾性部材によって吸収され、さらにそこでも吸収しきれなかった衝撃力のみが圧縮機１１０の内部へと伝達することとなるので、圧縮機の内部へ伝達する衝撃力を大幅に低減することができ、釜当たりを抑制することができる。
【０１１１】
以上のように本実施の形態の防振装置３２０は、前面開口部を有する冷蔵庫本体１００と、冷蔵庫本体１００に備えられ閉時に前面開口部を閉塞する回転式の扉１０２および引出し式の扉１０３と、冷凍サイクルの圧縮機１１０と、圧縮機１１０を冷蔵庫本体１００に支持する防振部材３２０からなり、防振部材３２０ｂは、冷蔵庫本体１００に回動可能に軸止されていることにより、冷蔵庫本体１００の回転運動に対して、揺動プレート３２６ｂが圧縮機１１０の初期状態、つまり水平状態を保つように傾倒することで、圧縮機１１０に加わる衝撃を低減でき、釜当たりを抑制することができ、静音化が図れ、かつ信頼性を高めることができる。
【産業上の利用可能性】
【０１１２】
以上のように、本発明にかかる冷蔵庫は、略水平方向成分の振動吸収率を高めた防振装置を用いて扉閉時の釜当たりを抑制したので、業務用冷蔵庫、自動販売機の用途にも適用できる。
【図面の簡単な説明】
【０１１３】
【図１】本発明の実施の形態１における冷蔵庫の側面図
【図２】本発明の実施の形態１における冷蔵庫の平面図
【図３】（ａ）本発明の実施の形態１における圧縮機の縦断面図（ｂ）本発明の実施の形態１における圧縮機の水平断面図
【図４】本発明の実施の形態１における防振装置の構成を示す図
【図５】本発明の実施の形態１における防振装置の動作を示す図
【図６】本発明の実施の形態２における防振装置の構成を示す図
【図７】本発明の実施の形態２における防振装置の動作を示す図
【図８】本発明の実施の形態３における冷蔵庫の側面図
【図９】本発明の実施の形態３における防振装置の構成を示す図
【図１０】本発明の実施の形態３における防振装置の動作を示す図
【図１１】本発明の実施の形態３における防振装置の動作を示す図
【図１２】従来の冷蔵庫の構成断面図
【図１３】従来の冷蔵庫の圧縮機の縦断面図
【符号の説明】
【０１１４】
１００  冷蔵庫本体
１０２  回転式の扉
１０３  引出し式の扉
１１０  圧縮機
１２０  防振装置
２２０  防振装置
２２２  スプリング
２２５  潤滑部材
３２０  防振装置
【図１】
0004706427.tif 000002
【図２】
0004706427.tif 000003
【図３】
0004706427.tif 000004
【図４】
0004706427.tif 000005
【図５】
0004706427.tif 000006
【図６】
0004706427.tif 000007
【図７】
0004706427.tif 000008
【図８】
0004706427.tif 000009
【図９】
0004706427.tif 000010
【図１０】
0004706427.tif 000011
【図１１】
0004706427.tif 000012
【図１２】
0004706427.tif 000013
【図１３】
0004706427.tif 000014